(57)【特許請求の範囲】
【請求項１】
プラグが挿入されるプラグ挿入部（４１）を有する絶縁樹脂製のハウジング（４）と、
プラグ挿入部（４１）内に接点が突出するようにハウジング（４）に保持された複数のコンタクトとを備えたジャックにおいて、
ハウジング（４）は、前側に低背部（４２）を有し、低背部（４２）とその後方とが段状を成すように形成され、
コンタクトは、低背部（４２）に配置された低背用コンタクト収容部（９、１０）に組み込まれる低背用コンタクト（５、６）と、ハウジング（４）の後段部（４３）の側部に配置される保持バネ兼用コンタクト（７）からなり、
低背用コンタクト（５、６）は、低背用コンタクト収容部（９、１０）に固定される固定片部（５１）と、固定片部（５１）の上縁より折り返してなる折り返し部（５２）と、折り返し部（５２）より斜め横下方向に延出した弾性接触部（５３）と、弾性接触部（５３）に形成された接点（５４）とを備え、接点（５４）が低背部（４２）の底側よりプラグ挿入部（４１）に突出するようにし、
低背用コンタクト収容部（９、１０）には、低背用コンタクト（５、６）を組み込む際に折り返し部（５２）と接触する仮固定圧接部（９３）と、低背用コンタクト（５、６）が組み込まれた状態において弾性接触部（５３）と接触するプリロード部（９５）とを備え、
プリロード部（９５）が弾性接触部（５３）と接触すると折り返し部（５２）が仮固定圧接部（９３）より離反するようにしたことを特徴とするジャック。
【発明の詳細な説明】
【技術分野】
【０００１】
本発明は、携帯電話機やスマートフォン等の電子機器に外部接続端子を接続する為の小型ジャック等のジャックに関する。
【背景技術】
【０００２】
従来、スマートフォンや携帯オーディオプレーヤー等の電子機器では、筐体（セットシャーシ）の外縁部を円弧状やテーパ状に形成するデザインを採用したものがあり、この様な電子機器に取り付けられる小型ジャック等のジャック２００には、電子機器筐体のデザインに整合させて、図１０に示すように、ハウジング２０１の前面部にテーパ状の傾斜部２０２を設けたものが開発されている（例えば、特許文献１を参照）。
【０００３】
一方、この種のジャックでは、プラグが挿入されるプラグ挿入部を有する絶縁樹脂製のハウジングと、プラグ挿入部内に弾性接触片部が突出するようにハウジングに保持された複数のコンタクトとを備え、各コンタクトをハウジングのプラグ挿入部を挟んだ両側部に配置することにより低背化が図られたものが知られている。
【０００４】
各コンタクトは、ハウジングのプラグ挿入部を挟んだ両側に固定される固定片部と、固定片部に支持された弾性接触片部とを備え、弾性接触片部先端の接点がハウジングの側部よりプラグ挿入部内に突出し、それぞれプラグ挿入方向で間隔を置いて配置されている。
【先行技術文献】
【特許文献】
【０００５】
【特許文献１】特開２０１３−８５１３８号公報
【発明の概要】
【発明が解決しようとする課題】
【０００６】
しかしながら、上述した従来のジャックでは、各コンタクトをハウジングの側部に保持させた場合、ハウジングに設けられた傾斜部２０２は、前端から最も手前のコンタクトまでの距離とそのコンタクトの高さによって必然的に傾斜角θが制限されるため、このジャックを適用可能な電子機器筐体外縁部のデザインが制限されるという問題があった。
【０００７】
そこで、本発明は、このような従来の問題に鑑み、筐体（セットシャーシ）の外縁部を円弧状やテーパ状に形成するデザインを採用した電子機器に容易に適用可能なジャックの提供を目的としてなされたものである。
【課題を解決するための手段】
【０００８】
上述の如き従来の問題を解決し、所期の目的を達成するための請求項1に記載の発明の特徴は、プラグが挿入されるプラグ挿入部を有する絶縁樹脂製のハウジングと、前記プラグ挿入部内に接点が突出するように前記ハウジングの側部に保持された複数のコンタクトとを備えたジャックにおいて、前記ハウジングは、前側に低背部を有し、該低背部とその後方とが段状を成すように形成され、前記コンタクトには、前記低背部の側部に配置される低背用コンタクトと、前記ハウジングの後段部の側部に配置される保持バネ兼用コンタクトとを備え、前記低背用コンタクトは、前記低背部の側部に固定される固定片部と、該固定片部の上縁より折り返してなる折り返し部と、該折り返し部の先端より斜め横下方向に延出した弾性接触部と、該弾性接触部の先端に一体に形成された接点とを備え、該接点が前記低背部の底側より前記プラグ挿入部に突出するようにしたジャックにある。
【０００９】
請求項２に記載の発明の特徴は、請求項１の構成に加え、前記ハウジングには、下面より前記低背用コンタクトが組み込まれる低背用コンタクト収容部を備え、該低背用コンタクト収容部には、低背用コンタクトを組み込む際に前記折り返し部と接触する仮固定圧接部と、該低背用コンタクトが組み込まれた状態において前記弾性接触部と接触するプリロード部とを備え、該プリロード部が弾性接触部と接触すると前記折り返し部が前記仮固定圧接部より離反するようにしたことにある。
【発明の効果】
【００１０】
本発明に係るジャックは、上述したように、プラグが挿入されるプラグ挿入部を有する絶縁樹脂製のハウジングと、前記プラグ挿入部内に接点が突出するように前記ハウジングの側部に保持された複数のコンタクトとを備えたジャックにおいて、前記ハウジングは、前側に低背部を有し、該低背部とその後方とが段状を成すように形成され、前記コンタクトには、前記低背部の側部に配置される低背用コンタクトと、前記ハウジングの後段部の側部に配置される保持バネ兼用コンタクトとを備え、前記低背用コンタクトは、前記低背部の側部に固定される固定片部と、該固定片部の上縁より折り返してなる折り返し部と、該折り返し部の先端より斜め横下方向に延出した弾性接触部と、該弾性接触部の先端に一体に形成された接点とを備え、該接点が前記低背部の底側より前記プラグ挿入部に突出するようにしたことにより、低背部を設けると共に低背部側部にコンタクトを配置することができるので、低背部上方にスペースが生まれ、そのスペースを利用することで電子機器筐体のデザインの自由度が向上する。
【００１１】
また、本発明において、前記ハウジングには、下面より前記低背用コンタクトが組み込まれる低背用コンタクト収容部を備え、該低背用コンタクト収容部には、低背用コンタクトを組み込む際に前記折り返し部と接触する仮固定圧接部と、該低背用コンタクトが組み込まれた状態において前記弾性接触部と接触するプリロード部とを備え、該プリロード部が弾性接触部と接触すると前記折り返し部が前記仮固定圧接部より離反するようにしたことにより、低背用コンタクトを組み込む際に仮固定することができるとともに、取付後は弾性接触部と折り返し部とからなるバネ全体に常に負荷（プリロード）が加わり、プラグに対し安定した接触状態を維持することができる。
【図面の簡単な説明】
【００１２】
【図１】（ａ）は本発明に係るジャックを示す正面図、（ｂ）は同平面図、（ｃ）は同縦断面図である。
【図２】同上の部分透視斜視図である。
【図３】同上の分解斜視図である。
【図４】（ａ）は同図１中のハウジングを示す正面図、（ｂ）は同右側面図、（ｃ）は同底面図である。
【図５】（ａ）は低背部用のコンタクトの一例を示す正面図、（ｂ）は同平面図、（ｃ）は同左側面図である。
【図６】（ａ）は低背部用のコンタクトの他の一例を示す正面図、（ｂ）は同平面図、（ｃ）は同右側面図である。
【図７】低背部用コンタクトの仮止め状態を示す図１中のｘ-ｘ線拡大断面図である。
【図８】（ａ）は同低背部用コンタクトが取り付けられた状態を示す図１中のｙ−ｙ線拡大断面図、（ｂ）は同ｘ−ｘ線拡大断面図である。
【図９】本発明に係るジャックの使用態様の一例を示す縦断面図である。
【図１０】従来のジャックの一例を示す側面図である。
【発明を実施するための形態】
【００１３】
次に、本発明に係るジャックの実施の態様を図１〜図９に示した実施例に基づいて説明する。尚、図中符号１は小型ジャック等のジャック、符号２はジャック１が取り付けられる電子機器筐体（セットシャーシ）、符号３はプラグである。
【００１４】
また、本実施例では、プラグ挿入方向の手前側を前とし、図１（ａ）の上下左右方向を基準とし上下方向を縦、左右方向を横として説明する。
【００１５】
ジャック１は、プラグ３が挿入されるプラグ挿入部４１を有する絶縁樹脂製のハウジング４と、プラグ挿入部４１内に接点が突出するようにハウジング４の側部に保持された複数のコンタクト５〜８とを備え、プラグ挿入部４１に挿入されたプラグ３の外周に各コンタクト５〜８の接点が接触するようになっている。
【００１６】
ハウジング４は、図４に示すように、絶縁性樹脂により一体成形され、前側に配置された低背部４２とその後方に配置された後段部４３とを有し、高さの異なる直方体状の低背部４２と後段部４３とが下面が平坦な側面視階段状を成すように形成されている。
【００１７】
また、低背部４２と後段部４３との接続部分には、後段部４３上面から低背部４２上面に向けて傾斜した傾斜部４４が形成されている。
【００１８】
低背部４２は、ハウジング４前側部分の上半部を取り除いた形状、即ち、前面に開口した丸穴を中央に有する直方体状を半割にし、その上半部を取り除いた形状に形成され、高さが後段部４３の略半分の高さになっている。
【００１９】
プラグ挿入部４１は、低背部４２の上面側を半円状に凹ませた半割部４１１と、該半割部４１１と前後方向で連続した丸穴状の保持穴部４１２とをもって構成され、プラグ３は、その先端側が保持穴部４１２に挿入され、且つ、基端側がその上半部を露出させた状態で半割部４１１に挿入されるようになっている。
【００２０】
また、ハウジング４には、図３、図４（ｃ）に示すように、プラグ挿入部４１を挟んだ両側部に下面に開口したコンタクト収容部９〜１２が形成され、各コンタクト収容部９〜１２にそれぞれ下面側から対応するコンタクト５〜８が組み込まれるようになっている。
【００２１】
尚、各コンタクト収容部は、低背部４２に配置されたものを低背用コンタクト収容部９，１０とし、後段部４３の一方の側部に配置されたものを保持バネ兼用コンタクト収容部１１とし、低背用コンタクト収容部９，１０には、低背用コンタクト５，６がそれぞれ組み込まれ、保持バネ兼用コンタクト収容部１１には、保持バネ兼用コンタクト７が組み込まれるようになっている。
【００２２】
低背用コンタクト５，６は、図５、図６に示すように、弾性を有する導電性金属板材をプレス加工することにより一体に形成され、低背部４２の側部に縦向きに固定される固定片部５１と、固定片部５１の上縁より折り返してなる折り返し部５２と、折り返し部５２より斜め横下方向に延出した弾性接触部５３と、弾性接触部５３の先端に一体に形成された接点５４と、固定片部５１の下縁より横方向に延出した接続端子部５５とを備え、折り返し部５２と弾性接触部５３とで固定片部５１に支持された片持ちバネ状を成している。
【００２３】
固定片部５１は、縦向きに立ち上げた矩形平板状に形成され、その両側縁には係止される係止突起５１１，５１１が一体に突設されている。固定片部５１の高さは、低背部４２の両側部の高さに整合した高さに形成されている。
【００２４】
折り返し部５２は、導電性金属板材を固定片部５１の上縁より円弧状に折り曲げて形成され、その先端側に弾性接触部５３を一体に支持している。
【００２５】
折り返し部５２は、その前後方向幅が弾性接触部５３の基端前後幅より広く、先端縁に仮固定用段部５２１が形成されている。
【００２６】
弾性接触部５３の基端から先端までの長さは、低背用コンタクト５，６がハウジング４に組み込まれた際に、弾性接触部５３の先端がプラグ挿入部４１、即ち半割部４１１の底に略至る長さとし、接点５４が低背部４２の底側よりプラグ挿入部４１に突出するようになっている。
【００２７】
接点５４は、プレスにより弾性接触部５３の先端を膨出させることにより弾性接触部５３の先端に一体に形成されている。
【００２８】
尚、低背用コンタクト６は、図５に示す低背用コンタクト５と同様に構成されているが、プラグ３に対する接触位置が手前側位置であるため弾性接触部５３が斜め前方にむけて延出した形状になっている。
【００２９】
低背用コンタクト収容部９，１０は、矩形穴状の本体収容穴９１と、本体収容穴９１と連通した弾性接触部収容穴９２とを備え、本体収容穴９１に固定片部５１及び折り返し部５２が挿入されるとともに弾性接触部収容穴９２に弾性接触部５３が挿入されるようになっている。
【００３０】
また、この低背用コンタクト収容部９，１０は、図１、図４に示すように、プラグ挿入部４１と連通した突出窓９４，９４，１０１がプラグ挿入部４１、即ち、半割部４１１の底部で互い違い状に配置され、低背用コンタクト５，６の接点５４がそれぞれ底側からプラグ挿入部４１内に突出するようになっている。
【００３１】
本体収容穴９１は、図４（ｃ）、図７に示すように、低背部４２の側部に下面に開口した縦穴を成し、その前後両端部の外側に固定片部５１の両側縁が圧入される圧入溝９１１，９１１が形成され、この圧入溝９１１の内側面に係止突起５１１が食い込み、係止されることにより固定片部５１がハウジング４に固定されるようになっている。
【００３２】
本体収容穴９１と弾性接触部収容穴９２とは、低背用コンタクト５，６の形状に整合させてその境界部分を前後にずらして配置され、当該前後のズレにより本体収容穴９１の内側面が仮固定圧接部９３を形成している。
【００３３】
そして、低背用コンタクト５，６を低背部４２に組み込む際には、図７に示すように、折り返し部５２の仮固定用段部５２１と仮固定圧接部９３とが接触し、折り返し部５２を撓ませるようになっている。
【００３４】
これにより、低背用コンタクト５，６は、折り返し部５２のバネ反力により仮固定用段部５２１と固定片部５１とが本体収容部の内面を押圧し、その押圧力でハウジング４に保持され、組立て時のハウジング４への仮固定ができ、円滑に組み立て作業を行うことができる。
【００３５】
一方、弾性接触部収容穴９２は、図８（ａ）に示すように、上面が本体収容穴９１から低背部４２の中央底側に向けて傾斜した形状に形成され、中央底側が突出窓９４によりプラグ挿入部４１と連通し、突出窓９４を通して接点５４がプラグ挿入部４１内に突出するようになっている。
【００３６】
突出窓９４，１０１は、弾性接触部５３の形状に整合させて形成され、収容穴側の外側開口縁部がプリロード部９５を成している。
【００３７】
プリロード部９５は、図８（ａ）に示すように、低背用コンタクト５，６が組み込まれた状態において弾性接触部５３の接点５４近傍で接触し、プリロード部９５が弾性接触部５３を下向きに押圧するようになっている。
【００３８】
そして、プリロード部９５が弾性接触部５３と接触すると、固定片部５１に支持された折り返し部５２及び弾性接触部５３が撓み、図８（ｂ）に示すように、折り返し部５２が仮固定圧接部９３より離反し、折り返し部５２と仮固定圧接部９３との間に隙間ｔが生じるようになっている。
【００３９】
尚、低背用コンタクト収容部１０は、コンタクト形状に整合させて弾性接触部収容穴９２及び突出窓１０１の形状が低背用コンタクト収容部９とは若干異なるが、低背用コンタクト収容部９と略同様に構成されている。
【００４０】
保持バネ兼用コンタクト７は、導電性金属板材をプレス加工することにより一体に形成され、後段部４３の側部に縦向きに固定される固定片部７１と、固定片部７１の側縁より内向きに折り返した形状の弾性接触部７２と、固定片部７１の下縁より外向きに延出した接続端子部７３とを備え、弾性接触部７２の先端側に内向きに膨出した接点７４が一体に形成されている。
【００４１】
保持バネ兼用コンタクト収容部１１は、プラグ挿入部４１の側面部に連通開口した突出窓１１１を介してプラグ挿入部４１と連通し、接点７４が突出窓１１１を通して横方向に向けてプラグ挿入部４１内に突出し、プラグ挿入部４１に挿入されたプラグ３の外周面と接触するようになっている。
【００４２】
この保持バネ兼用コンタクト７は、後段部４３に収容され、弾性接触部７２を固定片部７１の側縁より折り返した形状としたことにより、弾性接触部７２の縦幅を後段部４３の高さに整合させた幅とすることができるので高いバネ圧を確保でき、プラグ３挿抜時のクリック感及び保持力が得られるようになっている。
【００４３】
このように構成されたジャック１では、低背用コンタクト５，６に折り返し部５２と、折り返し部５２の先端より斜め横下向きに延出した弾性接触部５３とを備え、接点５４が低背部４２の底側よりプラグ挿入部４１に突出するようにしたことにより、十分なバネスパンを確保しつつ、プラグ３の外周面より下向きの反力が作用しても、折り返し部５２を設けたことで当該下向きの力が分散され、固定片部５１への負担が軽減できるので、固定片部５１の高さを従来より低くしても当該下向きの力に対抗できる。
【００４４】
従って、低背部４２は、後段部４３の略半分の高さとすることができ、例えば、図９に示すように、低背部４２を設けたことで生まれた筐体内部のスペース２１を自由に使用でき、電子機器筐体（セットシャーシ）２の設計自由度が増す。
【００４５】
また、低背用コンタクト収容部９，１０には、仮固定圧接部９３とプリロード部９５とを別個に備えたことにより、コンタクト組み込み時にコンタクトを仮固定できるとともに、弾性接触部５３及び折り返し部５２からなるバネを撓ませ、常にバネ反力が作用している状態にすること（プリロード）ができ、プラグ挿入部４１に挿入されたプラグ３に対し安定した接触状態を維持することができる。
【００４６】
尚、上述の実施例では、ハウジング４に傾斜部４４を設けた例について説明したが、低背部４２と後段部４３とで階段状を成すようにしてもよい。
【００４７】
また、コンタクト８は、上述の実施例の態様に特に限定されず、例えば、保持バネ兼用コンタクト７と同様の態様としてもよく、その他の態様であってもよい。
【符号の説明】
【００４８】
１  ジャック
２  電子機器筐体（セットシャーシ）
３  プラグ
４  ハウジング
４１  プラグ挿入部
４１１  半割部
４１２  保持穴部
４２  低背部
４３  後段部
４４  傾斜部
５  低背用コンタクト
５１  固定片部
５１１  係止突起
５２  折り返し部
５２１  仮固定用段部
５３  弾性接触部
５４  接点
５５  接続端子部
６  低背用コンタクト
７  保持バネ兼用コンタクト
７１  固定片部
７２  弾性接触部
７３  接続端子部
７４  接点
８  コンタクト
９  低背用コンタクト収容部
９１  本体収容穴
９１１  圧入溝
９２  弾性接触部収容穴
９３  仮固定圧接部
９４  突出窓
９５  プリロード部
１０  低背用コンタクト収容部
１０１  突出窓
１１  保持バネ兼用コンタクト収容部
１１１  突出窓
１２  コンタクト収容部
【図１】
0005979391.tif 000002
【図２】
0005979391.tif 000003
【図３】
0005979391.tif 000004
【図４】
0005979391.tif 000005
【図５】
0005979391.tif 000006
【図６】
0005979391.tif 000007
【図７】
0005979391.tif 000008
【図８】
0005979391.tif 000009
【図９】
0005979391.tif 000010
【図１０】
0005979391.tif 000011